(57)【要約】【課題】蓋面を平坦にすることができる梱包具を提供する。【解決手段】梱包具１００は、第１側部１１０ａと、第２側部１１０ｂと、第３側部１１０ｃと、内フラップ１２０ａと、第１外フラップ１３０ａと、第２外フラップ１３０ｂと、突起部１５０ａとを備える。突起部１５０ａは、第１側部１１０ａから突起する。第１外フラップ１３０ａには、第１切欠部１３２ａが形成されている。第２外フラップ１３０ｂには、第２切欠部１３２ｂが形成されている。突起部１５０ａは、差込口１６０に差し込まれる。差込口１６０は、第１切欠部１３２ａと第２切欠部１３２ｂとによって形成される。第１外フラップ１３０ａおよび第２外フラップ１３０ｂは、内フラップ１２０ａの一部と突起部１５０ａとの間に挟まれている。【選択図】図１
2020059521.tif 000002
【特許請求の範囲】
【請求項１】
第１側部と、
前記第１側部の一方側に接続する第２側部と、
前記第１側部の他方側に接続する第３側部と、
前記第１側部に接続する内フラップと、
前記第２側部に接続する第１外フラップと、
前記第３側部に接続する第２外フラップと、
前記第１側部から突起する突起部と
を備え、
前記第１外フラップには、第１切欠部が形成されており、
前記第２外フラップには、第２切欠部が形成されており、
前記突起部は、前記第１切欠部と前記第２切欠部とによって形成される差込口に差し込まれ、
前記第１外フラップおよび前記第２外フラップは、前記内フラップの一部と前記突起部との間に挟まれている、梱包具。
【請求項２】
前記内フラップには、開口が形成されており、
前記開口の大きさは、前記突起部の大きさよりも大きい、請求項１に記載の梱包具。
【請求項３】
前記開口は、
本体部と、
前記本体部と接続し、前記第１側部と連結する連結部と
を有し、
前記本体部の前記第１側部と前記内フラップとの境界に沿った長さは、前記連結部の前記境界に沿った長さよりも長い、請求項２に記載の梱包具。
【請求項４】
前記内フラップは、前記第１外フラップおよび前記第２外フラップを支持する支持部を有し、
前記支持部は、前記第１側部に接続し、前記開口に隣接する、請求項３に記載の梱包具。
【請求項５】
前記突起部は、
前記第１外フラップおよび前記第２外フラップを押さえる押さえ部と、
前記差込口に差し込まれる差込部と
を有する、請求項３または請求項４に記載の梱包具。
【請求項６】
前記押さえ部は、
前記内フラップと対向する基端部と、
前記差込部と前記基端部とに接続する中間部と
を有し、
前記中間部の前記境界に沿った長さは、前記本体部の前記境界に沿った長さよりも短い、請求項５に記載の梱包具。
【請求項７】
前記基端部の前記境界に沿った長さは、前記連結部の前記境界に沿った長さと等しい、請求項６に記載の梱包具。
【請求項８】
前記差込部の先端の前記境界に沿った長さは、前記差込部の後端の前記境界に沿った長さよりも短い、請求項５から請求項７のいずれか１項に記載の梱包具。
【請求項９】
前記第１外フラップには、前記第１切欠部から延びる第１切込が形成されており、
前記第２外フラップには、前記第２切欠部から延びる第２切込が形成されている、
前記突起部は、前記差込口と、前記第１切込と、前記第２切込とに差し込まれる、請求項１から請求項８のいずれか１項に記載の梱包具。
【発明の詳細な説明】
【技術分野】
【０００１】
本発明は、梱包具に関する。
【背景技術】
【０００２】
従来、物品を梱包するために段ボール箱のような梱包具が用いられている（例えば、特許文献１）。特許文献１に記載の梱包具（梱包箱）では、内フラップの１つとなる天井片に差込片が設けられている。特許文献１に記載の梱包具（梱包箱）では、差込片を差込孔に差し込むことによって、梱包具は組立てられる。
【先行技術文献】
【特許文献】
【０００３】
【特許文献１】特開平７−２０５９５４号公報
【発明の概要】
【発明が解決しようとする課題】
【０００４】
しかしながら、特許文献１に記載の梱包具では、天井片と差込片とがＶ字状になるため、蓋面が平坦にならない可能性がある。したがって、特許文献１に記載の梱包具では、梱包具を積み上げるとバランスが崩れて荷崩れが起こる可能性がある。
【０００５】
本発明は上記課題に鑑みてなされたものであり、その目的は蓋面を平坦にすることができる梱包具を提供することにある。
【課題を解決するための手段】
【０００６】
本発明に係る梱包具は、第１側部と、第２側部と、第３側部と、内フラップと、第１外フラップと、第２外フラップと、突起部とを備える。前記第２側部は、前記第１側部の一方側に接続する。前記第３側部は、前記第１側部の他方側に接続する。前記内フラップは、前記第１側部に接続する。前記第１外フラップは、前記第２側部に接続する。前記第２外フラップは、前記第３側部に接続する。前記突起部は、前記第１側部から突起する。前記第１外フラップには、第１切欠部が形成されている。前記第２外フラップには、第２切欠部が形成されている。前記突起部は、差込口に差し込まれる。前記差込口は、前記第１切欠部と前記第２切欠部とによって形成される。前記第１外フラップおよび前記第２外フラップは、前記内フラップの一部と前記突起部との間に挟まれている。
【０００７】
ある実施形態において、前記内フラップには、開口が形成されている。前記開口の大きさは、前記突起部の大きさよりも大きい。
【０００８】
ある実施形態において、前記開口は、本体部と、連結部とを有する。前記連結部は、前記本体部と接続する。前記連結部は、前記第１側部と連結する。前記本体部の前記第１側部と前記内フラップとの境界に沿った長さは、前記連結部の前記境界に沿った長さよりも長い。
【０００９】
ある実施形態において、前記内フラップは、支持部を有する。前記支持部は、前記第１外フラップおよび前記第２外フラップを支持する。前記支持部は、前記第１側部に接続する。前記支持部は、前記開口に隣接する。
【００１０】
ある実施形態において、前記突起部は、押さえ部と、差込部とを有する。前記押さえ部は、前記第１外フラップおよび前記第２外フラップを押さえる。前記差込部は、前記差込口に差し込まれる。
【００１１】
ある実施形態において、前記押さえ部は、基端部と、中間部とを有する。前記基端部は、前記内フラップと対向する。前記中間部は、前記差込部と前記基端部とに接続する。前記中間部の前記境界に沿った長さは、前記本体部の前記境界に沿った長さよりも短い。
【００１２】
ある実施形態において、前記基端部の前記境界に沿った長さは、前記連結部の前記境界に沿った長さと等しい。
【００１３】
ある実施形態において、前記差込部の先端の前記境界に沿った長さは、前記差込部の後端の前記境界に沿った長さよりも短い。
【００１４】
ある実施形態において、前記第１外フラップには、第１切込が形成されている。前記第１切込は、前記第１切欠部から延びる。前記第２外フラップには、第２切込が形成されている。前記第２切込は、前記第２切欠部から延びる。前記突起部は、前記差込口と、前記第１切込と、前記第２切込とに差し込まれる。
【発明の効果】
【００１５】
本発明に係る梱包具によれば、蓋面を平坦にすることができる。
【図面の簡単な説明】
【００１６】
【図１】本発明の実施形態に係る梱包具の斜視図である。
【図２】本発明の実施形態に係る梱包具の展開図である。
【図３】（ａ）は、突起部の近傍の拡大図である。（ｂ）は、開口の近傍の拡大図である。
【図４】（ａ）および（ｂ）は、梱包具１００の組立方法を示す斜視図である。
【図５】（ａ）および（ｂ）は、梱包具１００の組立方法を示す斜視図である。
【図６】差込口の近傍の拡大図である。
【発明を実施するための形態】
【００１７】
以下、本発明の実施形態について、図面を参照しながら説明する。なお、図中、同一または相当部分については同一の参照符号を付して説明を繰り返さない。
【００１８】
図１を参照して、本発明の実施形態１に係る梱包具１００について説明する。図１は、本発明の実施形態に係る梱包具１００の斜視図である。
【００１９】
以下の説明において、図１に示す座標のＸ軸方向を左右方向（原点から見てＸ軸で正となる方向が右方向）、Ｙ軸方向を前後方向（原点から見てＹ軸で正となる方向が後方向）、Ｚ軸方向（ＸＹ平面に垂直な方向）を上下方向（原点から見てＺ軸で正となる方向が上方向）ということがある。
【００２０】
図１に示すように、梱包具１００は、第１側部１１０ａと、第２側部１１０ｂと、第３側部１１０ｃと、第４側部１１０ｄと、内フラップ１２０ａと、内フラップ１２０ｂと、第１外フラップ１３０ａと、第２外フラップ１３０ｂと、底部１４０と、突起部１５０ａと、突起部１５０ｂとを備える。梱包具１００は、物品を梱包可能である。梱包具１００は、例えば、段ボール製である。梱包具１００は、直方体状である。
【００２１】
第１側部１１０ａと、第２側部１１０ｂと、第３側部１１０ｃと、第４側部１１０ｄとは、矩形状である。第１側部１１０ａと第４側部１１０ｄとは、対向している。第２側部１１０ｂと第３側部１１０ｃとは、対向している。
【００２２】
第２側部１１０ｂは、第１側部１１０ａの一方側に接続する。詳しくは、第２側部１１０ｂは、第１側部１１０ａの−Ｘ方向側に接続する。第３側部１１０ｃは、第１側部１１０ａの他方側に接続する。詳しくは、第３側部１１０ｃは、第１側部１１０ａの＋Ｘ方向側に接続する。
【００２３】
第２側部１１０ｂは、第４側部１１０ｄの一方側に接続する。詳しくは、第２側部１１０ｂは、第４側部１１０ｄの−Ｘ方向側に接続する。第３側部１１０ｃは、第４側部１１０ｄの他方側に接続する。詳しくは、第３側部１１０ｃは、第４側部１１０ｄの＋Ｘ方向側に接続する。
【００２４】
内フラップ１２０ａと、内フラップ１２０ｂとは、矩形状である。内フラップ１２０ａは、第１側部１１０ａに接続する。内フラップ１２０ｂは、第４側部１１０ｄに接続する。内フラップ１２０ａは、第１側部１１０ａに対して、内側に折り曲げられる。詳しくは、内フラップ１２０ａは、第１側部１１０ａに対して、＋Ｙ方向側に折り曲げられる。内フラップ１２０ｂは、第４側部１１０ｄに対して、内側に折り曲げられる。詳しくは、内フラップ１２０ｂは、第４側部１１０ｄに対して、−Ｙ方向側に折り曲げられる。
【００２５】
第１外フラップ１３０ａと、第２外フラップ１３０ｂとは、矩形状である。第１外フラップ１３０ａは、第２側部１１０ｂに接続する。第２外フラップ１３０ｂは、第３側部１１０ｃに接続する。第１外フラップ１３０ａは、第２側部１１０ｂに対して、内側に折り曲げられる。詳しくは、第１外フラップ１３０ａは、第２側部１１０ｂに対して、＋Ｘ方向側に折り曲げられる。第２外フラップ１３０ｂは、第３側部１１０ｃに対して、内側に折り曲げられる。詳しくは、第２外フラップ１３０ｂは、第３側部１１０ｃに対して、−Ｘ方向側に折り曲げられる。
【００２６】
第１外フラップ１３０ａには、第１切欠部１３２ａが形成されている。第２外フラップ１３０ｂには、第２切欠部１３２ｂが形成されている。差込口１６０は、第１切欠部１３２ａと第２切欠部１３２ｂによって形成される。
【００２７】
底部１４０は、第１側部１１０ａと、第２側部１１０ｂと、第３側部１１０ｃと、第４側部１１０ｄと接続している。
【００２８】
突起部１５０ａは、第１側部１１０ａから突起する。突起部１５０ｂは、第４側部１１０ｄから突起する。突起部１５０ａは、差込口１６０に差し込まれている。第１外フラップ１３０ａおよび第２外フラップ１３０ｂは、内フラップ１２０ａの一部と突起部１５０ａとの間に挟まれている。本明細書において、突起部１５０ａおよび突起部１５０ｂを、突起部１５０と総称する場合がある。突起部１５０は、梱包具１００の両端に設けられる。
【００２９】
突起部１５０ａは、押さえ部１５２と、差込部１５４とを有する。押さえ部１５２は、第１外フラップ１３０ａおよび第２外フラップ１３０ｂを押さえる。差込部１５４は、差込口１６０に差し込まれる。
【００３０】
図１を参照して説明したように、突起部１５０は、差込口１６０に差し込まれる。また、第１外フラップ１３０ａおよび第２外フラップ１３０ｂは、内フラップ１２０ａの一部と突起部１５０との間に挟まれている。したがって、第１外フラップ１３０ａおよび第２外フラップ１３０ｂが浮き上がることを抑制することができる。その結果、蓋面を平坦にすることができる。蓋面が平坦になることによって、梱包具１００を積み上げた場合、バランスが崩れて荷崩れが起こることを抑制することができる。また、蓋面の平坦部分に伝票を貼り付けることができる。
【００３１】
また、突起部１５０が、差込口１６０に差し込まれることによって、第１外フラップ１３０ａおよび第２外フラップ１３０ｂが固定される。したがって、接着テープを用いずに、梱包具１００を容易に組み立てることができる。
【００３２】
図２を参照して、本発明の実施形態に係る梱包具１００についてさらに説明する。図２は、本発明の実施形態に係る梱包具１００の展開図である。
【００３３】
図２に示すように、梱包具１００は、糊代部１７０をさらに備える。糊代部１７０は、内フラップ１２０ｂおよび第４側部１１０ｄに接着する。
【００３４】
内フラップ１２０ａには、開口１２２ａが形成されている。また、内フラップ１２０ｂには、開口１２２ｂが形成されている。内フラップ１２０ｂには、開口１２２ｂが形成されている。本明細書において、開口１２２ａおよび開口１２２ｂを、開口１２２と総称する場合がある。
【００３５】
底部１４０は、第１底部１４０ａと、第２底部１４０ｂと、第３底部１４０ｃと、第４底部１４０ｄとを含む。第１底部１４０ａは、第１接着部１４２ａを有する。第２底部１４０ｂは、第２接着部１４２ｂを有する。第１底部１４０ａと第３底部１４０ｃとは、第１接着部１４２ａにおいて接着される。第２底部１４０ｂと第４底部１４０ｄとは、第２接着部１４２ｂにおいて接着される。したがって、第１底部１４０ａの移動に連動して第３底部１４０ｃが移動する。また、第２底部１４０ｂの移動に連動して第４底部１４０ｄが移動する。その結果、梱包具１００の底部１４０を容易に組み立てることができる。
【００３６】
図３（ａ）および図３（ｂ）を参照して、突起部１５０および開口１２２についてさらに説明する。図３（ａ）は、突起部１５０の近傍の拡大図である。図３（ｂ）は、開口１２２の近傍の拡大図である。
【００３７】
図３（ａ）において、長さｄ１は、差込部１５４の先端の第１側部１１０ａと内フラップ１２０ａとの境界Ｂに沿った長さを示す。本明細書において、第１側部１１０ａと内フラップ１２０ａとの境界Ｂを、単に境界Ｂと記載することがある。本実施形態では、境界ＢはＸ軸方向に沿っている。図３（ａ）において、長さｄ２は、基端部１５２１の境界Ｂに沿った長さを示す。図３（ａ）において、長さｄ３は、中間部１５２２の境界Ｂに沿った長さを示す。図３（ａ）において、長さｄ４は、差込部１５４の後端の境界Ｂに沿った長さを示す。図３（ａ）および図３（ｂ）において、長さｄ５は、本体部１２２１の境界Ｂに沿った長さを示す。図３（ｂ）において、長さｄ６は、連結部１２２２の境界Ｂに沿った長さを示す。
【００３８】
図３（ａ）に示すように、押さえ部１５２は、基端部１５２１と、中間部１５２２とを有する。基端部１５２１は、内フラップ１２０ａと対向する。開口１２２の大きさは、突起部１５０の大きさよりも大きい。したがって、内フラップ１２０ａと、突起部１５０との間には、隙間が形成されている。中間部１５２２は、差込部１５４と基端部１５２１とに接続する。差込部１５４の先端の境界Ｂに沿った長さｄ１は、差込部１５４の後端の境界Ｂに沿った長さｄ４よりも短い。
【００３９】
図３（ｂ）に示すように、開口１２２は、本体部１２２１と、連結部１２２２とを有する。
【００４０】
本体部１２２１は、矩形状である。連結部１２２２は、矩形状である。連結部１２２２は、本体部１２２１と接続する。連結部１２２２は、第１側部１１０ａと連結する。本体部１２２１の境界Ｂに沿った長さｄ５は、連結部１２２２の境界Ｂに沿った長さｄ６よりも長い。
【００４１】
内フラップ１２０ａは、支持部１２４を有する。梱包具１００を組立てた場合、支持部１２４は、第１外フラップ１３０ａおよび第２外フラップ１３０ｂを支持する。支持部１２４は、第１側部１１０ａに接続する。支持部１２４は、開口１２２に隣接する。
【００４２】
図３（ａ）および図３（ｂ）に示すように、中間部１５２２の境界Ｂに沿った長さｄ３は、本体部１２２１の境界Ｂに沿った長さｄ５よりも短い。
【００４３】
基端部１５２１の境界Ｂに沿った長さｄ２は、連結部１２２２の境界Ｂに沿った長さｄ６と等しい。
【００４４】
以上、図２、図３（ａ）および図３（ｂ）を参照して説明したように、内フラップ１２０ａには、開口１２２が形成されている。開口１２２の大きさは、突起部１５０の大きさよりも大きい。このため、突起部１５０を内フラップ１２０ａとの間には隙間が形成されている。したがって、内フラップ１２０ａを折り曲げた際に、内フラップ１２０ａと突起部１５０とに生じる摩擦を少なくすることができる。このため、内フラップ１２０ａを折り曲げた際に、突起部１５０が立つ力を、内フラップ１２０ａが突起部１５０を巻き込む力よりも強くすることができる。したがって、内フラップ１２０ａを折り曲げた際に、突起部１５０が自立した状態で保持される。
【００４５】
また、内フラップ１２０ａは、支持部１２４を有する。梱包具１００を組立てた場合、支持部１２４は、第１外フラップ１３０ａおよび第２外フラップ１３０ｂを支持する。したがって、梱包具１００を組立てた場合、第１外フラップ１３０ａおよび第２外フラップ１３０ｂが沈み込むことを抑制することができる。
【００４６】
また、突起部１５０は、押さえ部１５２と、差込部１５４とを有する。また、押さえ部１５２は、第１外フラップ１３０ａおよび第２外フラップ１３０ｂを押さえる。また、差込部１５４は、差込口１６０に差し込まれる。したがって、差込口１６０に差込部１５４が差し込まれることによって、押さえ部１５２は、第１外フラップ１３０ａおよび第２外フラップ１３０ｂを押さえる。その結果、第１外フラップ１３０ａおよび第２外フラップ１３０ｂが起き上がることを抑制することができる。
【００４７】
また、差込部１５４の先端の境界Ｂに沿った長さｄ１は、差込部１５４の後端の境界Ｂに沿った長さｄ４よりも短い。したがって、差込部１５４をスムーズに差込口１６０に差し込むことができる。
【００４８】
図４（ａ）、図４（ｂ）、図５（ａ）および図５（ｂ）を参照して、梱包具１００の組立方法について説明する。図４（ａ）、図４（ｂ）、図５（ａ）および図５（ｂ）は、梱包具１００の組立方法を示す斜視図である。
【００４９】
図４（ａ）に示す状態から、図４（ｂ）に示すように、内フラップ１２０ａを、＋Ｙ方向側に折り曲げる。内フラップ１２０ａには、開口１２２が形成されている。したがって、内フラップ１２０ａを、＋Ｙ方向側に折り曲げても、突起部１５０ａは自立した状態で保持される。また、内フラップ１２０ｂを、−Ｙ方向側に折り曲げる。内フラップ１２０ｂには、開口１２２が形成されている。したがって、内フラップ１２０ｂを、−Ｙ方向側に折り曲げても、突起部１５０ｂは自立した状態で保持される。
【００５０】
次に、図５（ａ）に示すように、第１外フラップ１３０ａを、＋Ｘ方向側に折り曲げる。また、第２外フラップ１３０ｂを、−Ｘ方向側に折り曲げる。その結果、第１切欠部１３２ａと第２切欠部１３２ｂとによって差込口１６０が形成される。
【００５１】
次に、図５（ｂ）に示すように、突起部１５０ａを差込口１６０に差し込む。また、突起部１５０ｂを差込口１６０に差し込む。その結果、第１外フラップ１３０ａおよび第２外フラップ１３０ｂは、内フラップ１２０ａの一部および内フラップ１２０ｂの一部との間に挟まれる。したがって、第１外フラップ１３０ａおよび第２外フラップ１３０ｂが浮き上がるのを抑制することができる。その結果、梱包具１００の蓋面を平坦にすることができる。
【００５２】
図６を参照して、差込口１６０についてさらに説明する。図６は、差込口１６０の近傍の拡大図である。図６において、長さｄ７は、差込口１６０の、境界Ｂに沿った長さを示す。図６において、長さｄ８は、第１切込１３４ａから第２切込１３４ｂまでの長さを示す。
【００５３】
図６に示すように、第１外フラップ１３０ａには、第１切込１３４ａが形成されている。第１切込１３４ａは、第１切欠部１３２ａから延びる。第１切込１３４ａは、Ｘ軸方向に沿って延びている。第２外フラップ１３０ｂには、第２切込１３４ｂが形成されている。第２切込１３４ｂは、第２切欠部１３２ｂから延びる。第２切込１３４ｂは、Ｘ軸方向に沿って延びている。突起部１５０は、差込口１６０と、第１切込１３４ａと、第２切込１３４ｂとに差し込まれる。したがって、突起部１５０を差込口１６０に差し込む際は容易に差し込むことができる。さらに、突起部１５０が差込口１６０に差し込まれた状態から、突起部１５０が抜けることを抑制することができる。
【００５４】
以上、図面（図１〜図６）を参照しながら本発明の実施形態を説明した。但し、本発明は、上記の実施形態に限られるものではなく、その要旨を逸脱しない範囲で種々の態様において実施することが可能である（例えば、下記に示す（１）〜（３））。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の材質や形状、寸法等は一例であって、特に限定されるものではなく、本発明の効果から実質的に逸脱しない範囲で種々の変更が可能である。
【００５５】
（１）図１〜図６を参照して説明した梱包具１００は、突起部１５０を２つ備えていたが、本発明はこれに限定されない。例えば、梱包具１００は、突起部１５０を１つ、または、３つ以上備えていてもよい。
【００５６】
（２）図１〜図６を参照して説明した梱包具１００は、直方体状であったが、本発明はこれに限定されない。例えば、梱包具１００は、三角柱状であってもよい。この場合、梱包具１００の突起部１５０の数は、例えば、１つである。
【００５７】
（３）図１〜図６を参照して説明した梱包具１００では、差込部１５４の先端の境界Ｂに沿った長さｄ１は、差込部１５４の後端の境界Ｂに沿った長さｄ４よりも短かかったが、本発明はこれに限定されない。例えば、差込部１５４の先端の境界Ｂに沿った長さｄ１は、差込部１５４の後端の境界Ｂに沿った長さｄ４と同じでもよい。
【符号の説明】
【００５８】
１００    梱包具
１１０ａ  第１側部
１１０ｂ  第２側部
１１０ｃ  第３側部
１１０ｄ  第４側部
１２０ａ、１２０ｂ  内フラップ
１２２、１２２ａ、１２２ｂ  開口
１２４    支持部
１３０ａ  第１外フラップ
１３０ｂ  第２外フラップ
１３２ａ  第１切欠部
１３２ｂ  第２切欠部
１３４ａ  第１切込
１３４ｂ  第２切込
１５０、１５０ａ、１５０ｂ  突起部
１５２    押さえ部
１５４    差込部
１６０    差込口
１２２１  本体部
１２２２  連結部
１５２１  基端部
１５２２  中間部
Ｂ        境界
【図１】
2020059521.tif 000003
【図２】
2020059521.tif 000004
【図３】
2020059521.tif 000005
【図４】
2020059521.tif 000006
【図５】
2020059521.tif 000007
【図６】
2020059521.tif 000008